(57)【要約】【課題】  紙を貼り合わせることなく、プラスチックフィルムのみで紙に似せた食品包装用シートを実現する。【解決手段】  プラスチックフィルム製のシート体１の表面に紙の外観を模した絵柄を印刷して絵柄層２を構成するとともに、上記絵柄層に２０μ〜４０μの粒子を含む透明または半透明のマットインキを印刷してマットインキ層３を構成する。【選択図】      図１
0003155545.tif 000002
【実用新案登録請求の範囲】
【請求項１】
プラスチックフィルム製のシート体の表面に紙の外観を模した絵柄を印刷して絵柄層を構成するとともに、上記絵柄層に２０μ〜４０μの粒子を含む透明または半透明のマットインキを印刷したことを特徴とする食品包装用シート。
【請求項２】
印刷したマットインキ層に更に重ねてマットインキを印刷した請求項１記載の食品包装用シート。
【請求項３】
マットインキは絵柄層の外延の内側全面に渡って印刷される請求項１または２記載の食品包装用シート。
【請求項４】
マットインキは絵柄層に印刷された絵柄の形状に沿って印刷される請求項１記載の食品包装用シート。
【請求項５】
マットインキに微量の白インキを加えた請求項１から４のいずれかに記載の食品包装用シート。
【請求項６】
白インキは僅かに黄色がかったものである請求項５に記載の食品包装用シート。
【考案の詳細な説明】
【技術分野】
【０００１】
この考案は、各種の食品を包装するための包装材料に使用されるプラスチック製のシートに関する。
【背景技術】
【０００２】
意匠性や手触り感を考慮した場合、食品を包装するための袋体などの包装材料に使用される素材として紙製のシートが好ましいが、強度やバリア性に難がある。そのため、紙に代わるものとして(A) シートの基材としてプラスチックフィルムを使用し、これに紙を貼り合わせたものや、(B) プラスチックフィルムに雲竜柄などの紙の外観を模した絵柄を印刷したシートが提案されている。
【０００３】
【特許文献１】実開昭６３−１３４６９５号公報
【特許文献１】特開２００３- ２８８２９２号公報
【考案の開示】
【考案が解決しようとする課題】
【０００４】
しかしながら、前記(A) のシートにおいてはシートに全面的に紙を貼り合わせるとシートが不透明となるので中にどのような食品が入っているか見えなくなり、消費者の商品選択や目利きに支障を来すおそれがあり食品用の包装材として相応しくない問題があった。
【０００５】
この場合、紙を全面でなく部分的に貼り合わせることにより、内容物の目視を可能にすることも想定できるが、これには次の問題があった。
(1) 紙を部分的にプラスチックフィルムに貼り合わせる技術は容易ではなく、製造にあたりロスが大きくなりコストが高くなりやすい。
(2) 紙を部分的にプラスチックフィルムに貼り合わせることにより、紙が貼られた箇所と貼られていない箇所との厚みの差が生じ、シートを製袋や包装ラインに乗せる場合に蛇行などの問題を生じやすい。
(3) 紙表面の凹凸によりインキが抜けてしまい、綺麗に印刷できない問題を生じやすい。
(4) 一つのシートが紙とプラスチックという異質の素材を含んでいるので、廃棄の際の分別処理に支障を来す。
【０００６】
一方、前記(B) のシートにおいては以上の問題は生じないものの、フィルムの光沢感や透明性、手触りによって紙のようには見え難く、却って安っぽい印象を与えてしまう問題があった。この場合、光沢感を抑え、手触りを変える為に、表面にマット剤を塗布しているケースもあるが、光沢感、手触りともに紙を連想させるに至らないのが現状であった。
【課題を解決するための手段】
【０００７】
この考案は以上の従来技術の問題点を解消した食品包装用シートを提供することを目的として創作されたものであり、プラスチックフィルム製のシート体の表面に紙の外観を模した絵柄を印刷して絵柄層を構成するとともに、上記絵柄層に２０μ〜４０μの粒子を含む透明または半透明のマットインキを印刷したことを特徴とする。
【０００８】
また、ここでは第２考案として、この考案の食品包装用シートにおいて、マットインキを絵柄層に印刷された絵柄の形状に沿って施した食品包装用シートも開示する。
【０００９】
また、ここでは第３考案として、この考案の食品包装用シートにおいて、マットインキに微量の白インキを加えた食品包装用シートも開示する。
【００１０】
また、ここでは第４考案として、この考案の食品包装用シートにおいて、マットインキに微量の僅かに黄色がかった白インキを加えた食品包装用シートも開示する。
【考案の効果】
【００１１】
公知のマットインキは粒子の粒径は３〜５μである。これに対し、この考案の食品包装用シートに使用するマットインキは２０μ〜４０μの粒子を含むものであり、本件考案者はこれによりシートが紙のような手触り感を生じることを知得するに至った。
【００１２】
このようにこの考案の食品包装用シートにおいては、紙を貼り合わせることなく紙のような手触り感を実現できるので、シートに透明箇所を設けることが可能となり、包装された食品の目視が可能となる食品包装用シートとなる。
【００１３】
一方、印刷工程のみで紙のような手触り感を実現できるので製造コストが軽減でき、また、紙を貼り合わせないので厚みの段差が生ぜず、通常にシートと同様に製袋や包装ラインに乗せることができるので製造上のトラブルがない。
【００１４】
また、絵柄の印刷は平滑なプラスチックフィルムに対し行われるので、インキの抜けがなく綺麗に印刷することができる。
【００１５】
また、紙を貼り合わせないので素材はプラスチックのみであり、消費者において分別廃棄が容易である。
【００１６】
更に、第２考案の場合はマットインキを絵柄層に印刷された絵柄の形状に沿って印刷するので、手で触った場合に絵柄の凹凸を感じることができ、よりリアルな紙の手触り感を再現することが可能となる。
【００１７】
更に、第３考案の場合はマットインキに微量の白インキを加えることにより光沢感を抑えることが可能となる、一方、白インキを僅かに黄色がかったものとした第４考案の場合は、色調においてもより紙に似せることが可能となる。
【図面の簡単な説明】
【００１８】
【図１】この考案の食品包装用シートの断面図。
【図２】同上、平面図。
【図３】同上、製造工程を示す説明図。
【図４】同上、異なる実施例の製造工程を示す説明図。
【図５】同上、異なる実施例の製造工程を示す説明図。
【考案を実施するための形態】
【００１９】
図１はこの考案の食品包装用シートの構造を示す断面図である。図中符号１は包装用シートの基材となる透明のプラスチックフィルムからなるシート体であり、先ずこの表面に紙の外観を模した絵柄が印刷され絵柄層２が構成される。絵柄としては図２に示すような雲竜柄の他、特に制限はなく、更に、これに加えて内容物の表示や商標を施してもよいことはもちろんである。また、絵柄は透明性を抑えるために白ベタ（５０〜８０％）で印刷されることが好ましく、一方、フィルムの光沢性を抑えるためにフィルムの表面に印刷される。
【００２０】
次いで、前記の絵柄層２に対し透明または半透明のマットインキが印刷されマットインキ層３が構成される。このマットインキは２０μ〜４０μの粒子を含むことが必須であるが、同時に従来通りの２、３μ程度の粒子が含まれていてもよいことはもちろんである。なお、粒子の間隔がある程度空いている方がよりザラツキを感じるため、メジウムで薄めることによりインキに含まれる樹脂の密度を粗くしてもよい。
【００２１】
前記のマットインキは図３に示すように絵柄層２の外延の内側全面に渡って印刷される他、図２に示すようにに絵柄層２に印刷された絵柄の形状に沿って印刷されてもよい。
【００２２】
また、マットインキは紙に似たざらつき感を出すために、一度印刷した後に更に印刷してもよく、この場合、２度とも絵柄層２の外延の内側全面に渡って印刷しても、図５に示すように２度目は絵柄層に印刷された絵柄の形状に沿って印刷してもよい。
【００２３】
一方、マットインキには微量（１％程度）の白インキを混ぜると光沢感がより抑えられ、更に白インキは僅かに黄色がかったものとすることにより、色調においてもより紙に似せることができる。
【符号の説明】
【００２４】
１      シート体
２      絵柄層
３      マットインキ層
【図１】
0003155545.tif 000003
【図２】
0003155545.tif 000004
【図３】
0003155545.tif 000005
【図４】
0003155545.tif 000006
【図５】
0003155545.tif 000007